(57)【特許請求の範囲】
【請求項１】
肢体の止血すべき部位に巻き付けて固定される帯体と、
前記帯体に連結されており、流体を注入することで拡張して前記部位の止血のための圧迫力を前記部位に与える拡張部材と、
前記拡張部材に前記流体を注入するための注入路の端部に設けられたコネクタと、
前記拡張部材の圧力を調整する圧力調整部と、を備え、
前記圧力調整部は、
前記拡張部材に連通するように接続され、前記流体の一部を抜くための流体通し穴を有する本体容器部と、
前記本体容器部の外表面に気密に接触するように装着され、前記本体容器部の前記流体通し穴を塞いだ状態から前記本体容器部に沿って移動させて前記流体通し穴を開放するスライド部材と、
前記流体通し穴を塞ぐ位置と塞がない位置で前記本体容器部内を移動可能な移動体と、
前記流体通し穴を前記塞がない位置から前記塞ぐ位置に向かって前記移動体を移動させる力を与える力付与手段と、を有する、ことを特徴とする止血器具。
【請求項２】
前記力付与手段は、第１マグネット及び第２マグネットであり、
前記第１マグネットは、前記本体容器部に配置されており、
前記第２マグネットは、前記移動体に配置されていることを特徴とする請求項１に記載の止血器具。
【請求項３】
前記第１マグネットと前記第２マグネットとの間には斥力が作用することを特徴とする請求項２に記載の止血器具。
【請求項４】
前記本体容器部は、一端部と他端部とを有しており、
前記一端部と前記他端部は、前記スライド部材が前記本体容器部から外れるのを阻止する抜け止め阻止部を有している、ことを特徴とする請求項１ないし３のいずれかに記載の止血器具。
【発明の詳細な説明】
【技術分野】
【０００１】
本発明は、腕等の穿刺部位を圧迫して止血する止血器具に関する。
【背景技術】
【０００２】
術者が、カテーテル等を、患者の肢体の腕や脚の穿刺部位に導入されたイントロデューサーシースの内腔を通じて、経皮的に血管等の病変部に挿入することで、治療・検査等を行った場合には、そのイントロデューサーシースを抜去した後の穿刺部位を止血する必要がある。
この穿刺部位の止血を行うために、空気注入型の圧迫用の止血器具が用いられる。この止血器具の帯体は、腕や脚に形成された穿刺部位に巻き付けて固定し、シリンジ等から空気をこの帯体のバルーンに注入してバルーンによる圧迫力により穿刺部位を圧迫するようになっている。
ところで、時間が経過すると血管の穴が血栓等により塞がれるので、止血器具によりこのままの圧迫力で圧迫すると血管の血流を阻害したり、しびれや痛みを生じる場合がある。そこで、特許文献１に記載の止血器具では、バルーンが拡張された後に、術者が操作することなく自然に、バルーンの圧迫力を時間の経過とともに緩和できるようになっている。
【先行技術文献】
【特許文献】
【０００３】
【特許文献１】特開２００４−２０１８２９号公報
【発明の概要】
【発明が解決しようとする課題】
【０００４】
ところで、上述した従来の止血器具では、バルーンが拡張された後に、バルーンの圧迫力が、術者が操作することなく自然に、時間の経過とともに緩和されてしまうので、バルーンが拡張されて止血を開始した時から止血を終了する時の間に、術者が患者の状態に応じて、任意に圧迫力の調整を行うことができない。
そこで、本発明は、肢体の止血すべき部位を圧迫している際に、術者が、患者の状態に応じて、任意に止血すべき部位への圧迫力の調整を簡単に行うことができ、術者の圧迫力の調整の手間を軽減させることができる止血器具を提供することを目的とする。
【課題を解決するための手段】
【０００５】
本発明の止血器具は、肢体の止血すべき部位に巻き付けて固定される帯体と、前記帯体に連結されており、流体を注入することで拡張して前記部位の止血のための圧迫力を前記部位に与える拡張部材と、前記拡張部材に前記流体を注入するための注入路の端部に設けられたコネクタと、前記拡張部材の圧力を調整する圧力調整部と、を備え、前記圧力調整部は、前記拡張部材に連通するように接続され、前記流体の一部を抜くための流体通し穴を有する本体容器部と、前記本体容器部の外表面に気密に接触するように装着され、前記本体容器部の前記流体通し穴を塞いだ状態から前記本体容器部に沿って移動させて前記流体通し穴を開放するスライド部材と、前記流体通し穴を塞ぐ位置と塞がない位置で前記本体容器内を移動可能な移動体と、前記流体通し穴を前記塞がない位置から前記塞ぐ位置に向かって前記移動体を移動させる力を与える力付与手段と、を有する、ことを特徴とする。
【０００６】
上記構成によれば、本発明の力付与手段は、本体容器部内の移動体に対して、本体容器部の流体通し穴を塞がない位置から塞ぐ位置に向かって移動体を移動させる力を作用させている。そのため、術者が本体容器部の流体通し穴を開放して拡張部材内の内圧を減少させると、移動体は、力付与手段により力を受け、本体容器部の流体通し穴を塞がない位置から塞ぐ位置に向かって移動する。この際、本体容器部内の移動体は、開放した流体通し穴を塞ぐまで本体容器部の他端部側に移動する。従って、術者は、本体容器部の外表面に対して気密に接触するように装着されたスライド部材をスライドするだけで、本体容器部の流体通し穴を開放して拡張部材の流体の一部を抜くことができ、拡張部材による止血すべき部位への圧迫力を調整することができる。このため、術者は、患者の状態に応じて、任意に止血すべき部位への圧迫力の調整を簡単に行うことができ、術者の圧迫力の調整の手間を軽減することができる。
なお、この明細書で「流体」とは気体だけでなく液体も含むものである。
なお、「力付与手段」は、本体容器部の流体通し穴を塞がない位置から塞ぐ位置に向かって移動体を移動させる力を与えるものであればよく、例えば、移動体と本体容器部とを接続して弾性力等により移動体に対して力を付与する手段であっても、移動体と本体容器部とを非接続の状態で磁力等により移動体に対して力を付与する手段であってもよい。
【０００７】
好ましくは、前記力付与手段は、第１マグネット及び第２マグネットであり、前記第１マグネットは、前記本体容器部に配置されており、前記第２マグネットは、前記移動体に配置されている、ことを特徴とする。
上記構成によれば、力付与手段は、第１マグネットと第２マグネットの間に作用する磁力により、移動体に対して、連通ポートの設けられた側に移動体を向かわせる力を作用させることができる。
なお、「マグネット」は「永久磁石」だけでなく、「電磁石」も含むものである。【０００８】
好ましくは、前記第１マグネットと前記第２マグネットとの間には斥力が作用する、ことを特徴とする。具体的には、前記本体容器部は、一端部と他端部とを有しており、前記他端部は、前記拡張部材との前記連通ポートが設けられており、前記一端部は、前記第１マグネットが設けられており、前記第１マグネットと前記第２マグネットの間には斥力が作用する構成とされたことを特徴とする。
上記構成によれば、本体容器内の移動体と本体容器部の一端部とが形成する空間（第１空間）が移動体に作用させる力（力付与手段が移動体に作用させる力）を、第１マグネットと第２マグネットとの間に作用する斥力により設定することができる。これにより、術者が拡張部材を拡張する際、拡張部材への流体の注入に必要以上の負荷がかからないように構成することができる。例えば、第１空間を形成する内圧が引力により設定されている場合、術者は、第１マグネットと第２マグネットとを剥がすため、拡張部材に流体を注入するのに必要以上の負荷がかかる虞がある。なお、以下では、本体容器部内の移動体と本体容器部の一端部とが形成する第１空間と、本体容器部内の移動体と本体容器部の他端部とが形成する第２空間とする。【０００９】
好ましくは、記第１マグネット及び前記第２マグネットは、それぞれ硬磁性材料から形成されたものであり、前記第１マグネットの前記移動体側の表面と、前記第２マグネットの前記第一端部側の表面とが同じ磁極であることを特徴とする。
上記構成によれば、永久磁石等のマグネットを上記のように配置するだけで、簡単に第１マグネットと第２マグネットとの間に斥力を作用させることができる。
また、硬磁性材料である磁石や永久磁石は、外部からのエネルギー供給なしに磁力を有するため、圧力調整部を容易に構成することができる。また、硬磁性材料は、磁界の発生にエネルギー供給部材が必要ないため、止血器具の小型化やコスト削減という観点でも好ましい。【００１０】
また、好ましくは、前記力付与手段は、スプリング部材であり、前記スプリング部材は、前記本体容器部と前記移動体との間に配置されている、ことを特徴とする。
上記構成によれば、力付与手段は、スプリング部材の伸縮による弾性力により、移動体に対して、連通ポートの設けられた側に移動体を向かわせる力を作用させることができる。
なお、「スプリング部材」は、弾性力を有する部材で、かつ、力が加えられた際に力が加えられる前（自然状態）の形状に戻ろうとする性質を有する部材である。そのため、スプリング部材は、スプリング部材に加えられた力の大きさをスプリング部材の伸び縮みの大きさで表わすことができる。例えば、スプリング部材は、コイルバネや板バネである。【００１１】
好ましくは、前記本体容器部は、一端部と他端部とを有しており、前記他端部は、前記拡張部材との前記連通ポートが設けられており、前記スプリング部材は、前記一端部と前記移動体との間に配置されている、ことを特徴とする。
上記構成によれば、拡張部材を加圧した際、本体容器部内の第２空間の内圧が上昇して移動体が連通ポートと反対側（本体容器部の他端部側）に移動するため、スプリング部材は、移動体と一端部との間で圧縮されて縮む。そのため、本体容器部の流体通し穴を開放して第１空間の内圧を減少させると、スプリング部材には第２空間の内圧により圧縮する前の自然状態の形状に戻ろうとする力が働き、移動体に対して、連通ポートの設けられた側に移動体を向かわせる力が作用する。これにより、術者が拡張部材を拡張する際、拡張部材への流体の注入に必要以上の負荷がかからないように構成することができる。また、本体容器部の他端部には連通ポートがないため、スプリング部材が連通ポートを塞ぐ虞ががなく、スプリング部材を本体容器部に容易に接続することができる。【００１２】
好ましくは、前記スプリング部材は、前記本体容器部と前記移動体とを接続している、ことを特徴とする。
上記構成によれば、力付与手段であるスプリング部材は、移動体に対して、連通ポートの設けられた側に移動体を向かわせる力を効率的に作用させることができる。【００１３】
また、好ましくは、前記本体容器部は、一端部と他端部とを有しており、前記一端部と前記他端部は、前記スライド部材が前記本体容器部から外れるのを阻止する抜け止め阻止部を有していることを特徴とする。
上記構成によれば、スライド部材が本体容器部から抜け出てしまうことを防ぐことができる。
【発明の効果】
【００１４】
本発明は、肢体の止血すべき部位を圧迫している際に、術者が、患者の状態に応じて、任意に止血すべき部位への圧迫力の調整を簡単に行うことができ、術者の圧迫力の調整の手間を軽減させることができる止血器具を提供することができる。
【図面の簡単な説明】
【００１５】
【図１】本発明の止血器具の第１実施形態を示しており、この止血器具を例えば患者の手首に装着する際の帯体の内面側（肌に接触する面側）を示す図である。
【図２】図２は、図１に示す止血器具を手首に巻いて装着した状態を示す断面図である。
【図３】図１に示す袋体と、圧力調整部の形状例を示す斜視図である。
【図４】図３に示す圧力調整部の構造例を示す一部断面を有する正面図である。
【図５】術者が圧力調整部を手動操作して止血器具による圧迫力を複数段階で、任意の経過時間ごとに圧迫力の調整を行っている様子を示す図である。
【図６】図５における圧迫力の調整に続いて、圧迫力の調整を行っている様子を示す図である。
【発明を実施するための形態】
【００１６】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
（第１実施形態）
図１は、本発明の止血器具の第１実施形態を示している。図１は、この止血冶具１を患者の肢体の止血すべき部位である例えば手首に装着する際に、帯体２の内面側（肌に接触する面側）となる面を示す図である。図２は、図１に示す止血器具１を手首Ｈに巻いて装着した状態を示す断面図である。
【００１７】
図１に示す止血器具１は、図２に例示するように、患者の肢体の止血すべき部位である手首Ｈに巻くことにより、手首Ｈに形成されている穿刺部位１００を圧迫して止血する。穿刺部位１００は、治療や検査等を行うカテーテル等を血管内に挿入する目的で手首Ｈに形成され、止血器具１は、穿刺部位１００に留置されていたイントロデューサーシースを抜去した後に、その穿刺部位１００を圧迫して止血する。
【００１８】
この止血器具１は、手首Ｈに巻き付けるための帯体２と、面ファスナー３と、補強板４と、拡張部材の例としてのバルーン５と、拡張部材の例としての補助バルーン６と、マーカー７と、圧力調整部１１０と、シリンジ２００を有している。面ファスナー３は、この帯体２を手首Ｈに巻き付けた状態で着脱可能に固定するための固定手段である。バルーン５と補助バルーン６は、空気を送り込むことで拡張する。
帯体２は、可撓性を有する帯状の部材である。図２に示すように、帯体２は、手首Ｈの外周囲を一周するように巻き付けられる。帯体２は、手首Ｈに巻き付けられた状態を保持するために、帯体２の重ね合わせ部分が後述する面ファスナー３によって、着脱可能に固定されるようになっている。
【００１９】
帯体２の構成材料としては、術者が、帯体２を通して、穿刺部位１００を視認できる材料であれば特に限定されず、例えば、ポリ塩化ビニル、ポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、ポリ塩化ビニリデン、シリコーン、ポリウレタン、ポリアミドエラストマー、ポリウレタンエラストマー、ポリエステルエラストマー等の各種熱可塑性エラストマー、あるいはこれらを任意に組み合わせたもの（ブレンド樹脂、ポリマーアロイ、積層体等）が挙げられる。
なお、帯体２は、実質的に透明であることが好ましい。これにより、術者は、帯体２を通して、穿刺部位１００を外側から確実に視認することができ、後述するマーカー７を穿刺部位１００に対して容易に位置合わせすることができる。これにより、帯体２を手首Ｈに対して正確に位置決めできる。
【００２０】
図１と図２に示すように、帯体２の中央部には、後述する補強板保持部２１が形成されている。この補強板保持部２１は、後で説明する補強板４を収容して保持する役割を有する。別個の帯体部材２１Ａが、帯体２の外面側（または帯体２の内面側）に対して、融着（熱融着、高周波融着、超音波融着等）、または接着（接着剤や溶媒による接着）等の方法により接合されている。従って、補強板保持部２１は、帯体２と別個の帯体２１Ａとにより二重になるように構成されている。これにより、補強板４は、帯体２と別個の帯体部材２１Ａとの間の隙間に挿入することで、動かないように確実に保持されている。
【００２１】
図１に示す帯体２の左端付近の部分の内面側には、一般にマジックテープ（登録商標）等と呼ばれる面ファスナー３のオス部材（またはメス部材）３１が設けられている。図１に示す帯体２の右端付近の部分の内面側には、面ファスナー３のメス部材（またはオス部材）３２が設けられている。図２に示すように、面ファスナー３の例えばオス部材３１とメス部材３２とを接合することにより、帯体２が手首Ｈの外周囲に巻き付けられた状態で、手首Ｈに対して着脱可能に装着できる。
なお、帯体２の固定手段としては、図１に示した面ファスナー３に限らず、例えばスナップ、ボタン、クリップ、帯体２の端部に通す枠部材であっても良い。
【００２２】
図２に示すように、補強板４は、上述したように、帯体２の二重に形成された補強板保持部２１の間に挿入されることにより帯体２に保持されている。湾曲している補強板４は、その少なくも一部が内周面側に向かって湾曲した形状を有している。補強板４は、帯体２よりも硬質な材料で作られており、ほぼ一定の形状を保つ。
図１に示すように、補強板４は、帯体２の長手方向に長い形状を有している。図２に示すように、補強板４の長手方向の中央部４１は、ほとんど湾曲しておらず平板状になっている。この中央部４１の両側には、それぞれ内周側に向かって、しかも帯体２の長手方向（手首Ｈの周方向）に沿って湾曲した湾曲部４２が形成されている。この湾曲部４２の曲率半径Ｒ２は、中央部４１の曲率半径Ｒ１（図示の構成では、曲率半径Ｒ１はほぼ無限大）より小さい。
【００２３】
補強板４の構成材料としては、術者が、補強板４を通して、穿刺部位１００を視認できる材料であれば特に限定されず、例えば、アクリル樹脂、ポリ塩化ビニル（特に硬質ポリ塩化ビニル）、ポリエチレン、ポリプロピレン、ポリブタジエンのようなポリオレフィン、ポリスチレン、ポリ−（４−メチルペンテン−１）、ポリカーボネート、ＡＢＳ樹脂、ポリメチルメタクリレート（ＰＭＭＡ）、ポリアセタール、ポリアクリレート、ポリアクリロニトリル、ポリフッ化ビニリデン、アイオノマー、アクリロニトリル−ブタジエン−スチレン共重合体、ポリエチレンテレフタレート（ＰＥＴ）、ポリブチレンテレフタレート（ＰＢＴ）のようなポリエステル、ブタジエン−スチレン共重合体、芳香族または脂肪族ポリアミド、ポリテトラフルオロエチレン等のフッ素系樹脂等が挙げられる。
補強板４は実質的に透明であることが好ましい。これにより、術者は、帯体２と補強板４を通して、穿刺部位１００を外側から確実に視認することができ、後述するマーカー７を穿刺部位１００に容易に位置合わせすることができる。なお、補強板４の形状としては、中央部４１のような湾曲していない部分を有さないもの、すなわち、その全長に渡り湾曲しているものであってもよい。
【００２４】
図１と図２に示すように、バルーン５が帯体２の内面側（患者の肌に接する側）に連結されている。このバルーン５は、可撓性を有する材料で作られており、バルーン５は、空気（流体の一例）を注入することにより拡張させることができる拡張部材の一例である。これにより、帯体２と手首Ｈの間で、バルーン５内に空気を注入することでバルーン５を拡張動作させることにより、手首Ｈの穿刺部位１００を圧迫することができる。
【００２５】
図２に示すように、バルーン５は、帯体２の内面側に対して、可撓性を有する連結部１１を介して連結されている。しかもバルーン５は、帯体２の内面側において、補強板４の長手方向の一端側に片寄って位置されている。このバルーン５は、図２に示すように、補強板４のほぼ右半分側の部分に重なるように位置されている。バルーン５は、例えば上述した材料から成るシート材の縁部を融着または接着することによりシールして袋状に形成したものである。このバルーン５は、空気を注入して拡張していない状態では、四角形を成している。
【００２６】
図２に示すように、連結部１１の長さは、比較的短くなっていることで、バルーン５が補強板４に対して片寄った位置に位置決めされている。バルーン５は、帯体２と同質または同様の材料で形成されていることが好ましい。連結部１１を形成する材料は、バルーン５を形成する材料と同じであるのが好ましい。これにより、バルーン５は、連結部１１を用いて帯体２の内面側に対して融着により接合することが容易にできる。
【００２７】
バルーン５を形成する材料としては、術者が、帯体２と補強板４とバルーン５を通じて、外側から穿刺部位１００を視認できる材料であれば特に限定されない。特に、帯体２とバルーン５は、実質的に透明であることが好ましい。これにより、術者は、帯体２と補強板４とバルーン５を通じて、外側から穿刺部位１００を確実に視認できる。しかも、帯体２とバルーン５を通じて、外側からマーカー７を穿刺部位１００に対して容易に位置決めすることができる。
【００２８】
図１と図２に示すように、バルーン５の内面側には、マーカー７が設けられている。すなわち、このマーカー７は、穿刺部位１００に接触する面側に設けられている。このマーカー７をバルーン５の内面側に設けることにより、術者は、患者の手首Ｈの穿刺部位１００を帯体２と補強板４とバルーン５を通じて、目視で確認しながら、このマーカー７を利用して、バルーン５を穿刺部位１００に対して容易に位置決めできる。このため、バルーン５の位置ずれによる穿刺部位１００からの血液の漏れや、血腫の発生を防ぐことができる。
【００２９】
このマーカー７は、図１に示すように、バルーン５の中心部、すなわちバルーン５の四角形の対角線の交点を中心として設けることが好ましい。これにより、バルーン５の中心部を穿刺部位１００に位置合わせすることが可能であるため、バルーン５を拡張させた際に、バルーン５の圧迫力が穿刺部位１００に対して確実に作用する。マーカー７の形状は、特に限定されず、例えば円、三角形、四角形等が挙げられ、図１では四角形をなしている。
【００３０】
マーカー７の材質は、特に限定されず、例えば、インキ等の油性着色料、色素を混練した樹脂等が挙げられる。バルーン５にマーカー７を設ける方法は特に限定されないが、例えばマーカー７をバルーン５に印刷する方法、マーカー７をバルーン５に融着する方法、マーカー７の片面に接着剤を塗布してバルーン５に貼り付ける方法等が挙げられる。
マーカー７の色は、バルーン５を穿刺部位１００に位置合わせすることができる色できれば特に限定されないが、緑色系が好ましい。緑色系にすることにより、術者は、帯体２と補強板４とバルーン５を通じて、マーカー７を血液や皮膚上で容易に視認することができるため、バルーン５を穿刺部位１００に位置合わせすることがより容易となる。
【００３１】
また、マーカー７は半透明であることが好ましい。これにより、術者は、穿刺部位１００をマーカー７の外側から視認することができる。なお、マーカー７はバルーン５の外面側、すなわちバルーン５の穿刺部位１００と接触する面と反対側（図１の紙面の裏側）に設けてもよい。また、マーカー７をバルーン５に設けるのではなく、帯体２もしくは補強板４あるいは後述する補助バルーン６に設けてもよい。この場合も、マーカー７がバルーン５の中心部に重なるように設ける。
【００３２】
図１と図２に示すように、補助バルーン６は、帯体２の補強板４の湾曲部４２とバルーン５との間に配置されている。この補助バルーン６は、可撓性を有する材料により作られており、バルーン５と重なるように配置されている。この補助バルーン６とバルーン５に空気を注入することで、補助バルーン６は、バルーン５を押圧して圧迫力を与える拡張部材として機能する。
補助バルーン６を形成する材料としては、術者が、穿刺部位１００を視認できる材料であれば良く、バルーン５を形成する材料と同様の材料を採用できる。補助バルーン６は、好ましくは実質的には透明である。これにより、術者は、患者の手首Ｈの穿刺部位１００を帯体２と補強板４と補助バルーン６とバルーン５を通じて目視で確認でき、マーカー７を穿刺部位１００に容易に位置合わせすることができる。
【００３３】
図２に示すように、補助バルーン６は、帯体２の長手方向についての幅がバルーン５よりも小さく形成されていることで、補助バルーン６は、補強板４の湾曲部４２とバルーン５との間に配置されていることで、バルーン５を局所的に押圧するようになっている。これにより、バルーン５から穿刺部位１００への押圧力Ｆの方向をより確実に傾斜させることができる。
そして、補助バルーン６は、湾曲板４の湾曲部４２またはそれより図２中の右側の部分に接触する。これにより、補助バルーン６が湾曲板４から受ける力の方向、換言すれば、補助バルーン６が帯体２を介して接触する部分の補強板４の法線方向は、手首Ｈの中心部Ｇに向かうような方向に傾斜することになる。その結果、押圧力ｆや押圧力Ｆの方向をより確実に傾斜させることができる。
【００３４】
図２に示すように、バルーン５の一部と補助バルーン６の一部とは、互いに融着または接着等の方法により接合されている。そして、その接合部には、バルーン５の内部と補助バルーン６の内部とを連通する連通部（開口部）１２が形成されている。これにより、前述したようにしてバルーン５に液体（空気）を注入すると、注入された流体の一部が連通部１２を介して補助バルーン６内に流入し、バルーン５の拡張に伴って補助バルーン６が拡張する。これにより、１回の空気注入操作でバルーン５と補助バルーン６を拡張させることができ、空気注入の操作性に優れている。
【００３５】
図２に示すように、この補助バルーン６は、固着部１３を介して、バルーン５の連結部１１と同じ側（図２中の右側位置）でしかも帯体２の内面側に連結されている。これにより、補助バルーン６がより容易かつ確実に傾斜した姿勢になるため、バルーン５に対する押圧力ｆが傾斜した方向（バルーン５をほぼ手首Ｈの中心部Ｇに向かわせるような方向）により作用し易くなり、より優れた止血効果が得られる。
なお、バルーン５を押圧する押圧部材は、補助バルーン６に限らず、例えば、スポンジ状の物質、弾性材料、綿（わた）のような繊維の集合体、またはこれらの組み合わせなどによって形成されたパッドのような部材であっても良い。
【００３６】
次に、図１に示す空気（流体）の注入部５０について説明する。
この注入部５０は、チューブ５１と、バッファとして機能する一定容積の気密空間である例えば袋体５２を有している。そして、注入部５０は、コネクタ６０と、バルーン５又は補助バルーン６と、を連結する注入路を形成している。このチューブ５１は可撓性を有するチューブであり、チューブ５１の一端部５１Ａは、バルーン５の接続部５Ｒに接続されている。チューブ５１の他端部５１Ｂは、袋体５２の接続部５２Ａに接続されている。袋体５２は、一端部には接続部５２Ａを有しており、他端部にはコネクタ６０を有している。
【００３７】
次に、図１を参照して、流体供給部材であるシリンジ２００の構造例を説明する。
図１に示すシリンジ２００は、通常用いられているものであり、バルーン５と補助バルーン６内に空気を供給する流体供給部材である。シリンジ２００は、円筒状の本体容器部２０１と、突出部２０２と、押子２０３を有している。本体容器部２１０の一端部には、突出部２０２が設けられている。本体容器部２０１の内部には押子２０３が挿入されている。突出部２０２は、コネクタ６０内に差し込むことで、袋体５２に接続することができる。
【００３８】
このように、突出部２０２は、コネクタ６０内に差し込むと、図示しない弁体が押される。これにより、コネクタ６０内の流体の通路を開くようになっている。
そして、術者が押子２０３を押すことで、本体容器部２０１内の空気（流体）は、本体容器部２０１から突出部２０２の流体の通路と、コネクタ６０の流体の通路を通じて、しかも袋体５２とチューブ５１を介して、バルーン５と補助バルーン６内に注入できるようになっている。
【００３９】
次に、図３と図４を参照して、図１に示す圧力調整部１１０の構造例を説明する。
図３は、図１に示す袋体５２と、圧力調整部１１０の形状例を示す斜視図である。図４は、図３に示す圧力調整部１１０の構造例を示す一部断面を有する正面図である。圧力調整部１１０は、圧迫力調整部とも呼ぶことができる。圧力調整部１１０は、バルーン５と補助バルーン６の圧迫力を低減する際に、バルーン５と補助バルーン６内の空気（流体）の一部を抜くことで圧力を調整するものである。
図１に示す上述した空気注入型の圧迫用の止血器具１のバルーン５を使用して、図２に示す穿刺部位１００を止血する際に、時間が経過すると血管の穴が血栓等により塞がれるので、止血器具によりこのままの初期に設定された圧迫力で圧迫すると、血管の血流を阻害したり、しびれや痛みを生じる場合がある。
【００４０】
このため、術者は、止血器具による圧迫力を定期的に低減させる操作、すなわちバルーンの減圧をする操作を行いながら、数時間かけて穿刺部位１００を止血する。図１と図３と図４に示す圧力調整部１１０は、術者の簡便な操作により、止血器具１による穿刺部位１００に対する圧迫力を低減するために用いられる。
図３に示すように、圧力調整部１１０は、袋体５２に対してチューブ９９により接続されている。このチューブ９９の一端部９９Ａは、袋体５２の中間部分５２Ｍに接続され、チューブ９９の他端部９９Ｂは、圧力調整部１１０の端部（連通ポート）に予め接続されている。このチューブ９９は、図１に示すチューブ５１と同様な可撓性を有する材質で作られている。なお、圧力調整部１１０は、注入部５０から流体が注入される部分に接続されていれば良い。例えば、チューブ９９は、バルーン５、補助バルーン６及びチューブ５１に接続されていてもよい。
【００４１】
図３と図４に示すように、圧力調整部１１０は、本体容器部１１１と、スライド部材１１２と、ガスケット等の移動体１１３と、力付与手段（第１マグネット１６１、第２マグネット１６２）を有している。なお、第１マグネット及び第２マグネットは、硬磁性材料、又は、軟磁性材料を利用したものであり、性能の持続性や、目的に適合した十分な磁界強度を得るためには、好ましくは硬磁性材料を利用した永久磁石が用いられる。
ただし、「永久磁石」に限らず第１及び第２のマグネットは「電磁石」を用いることもできる。
図３と図４に示す本体容器部１１１は、好ましくは透明あるいは透光性を有するプラスチックあるいはガラスにより作られている。本体容器部１１１は、円筒部材であり、本体容器部１１１の一端部には円形状の蓋部材１２１が設けられており、本体容器部１１１の他端部には円形状の蓋部材１２２が設けられている。このため、本体容器部１１１の内部空間は、一端部の蓋部材１２１と他端部の蓋部材１２２により閉鎖されていて、外気から閉鎖されている。
なお、蓋部材１２１の中央位置には、貫通穴１２１Ｈが形成されていた方が好ましい。このように形成することで、本体容器部１１１内に形成される蓋部材１２１と移動体１１３との間に形成される第１空間を大気圧の状態で維持することができる。具体的には、術者がスライド部材１１２を移動させて第１空気通し穴１３１を開放する際、移動体１１３は、拡張部材（バルーン５及び補助バルーン６）が減圧されることによって、本体容器部１１１内の蓋部材１２２の方向に移動する。この際、本体容器部１１１内に形成される蓋部材１２１と移動体１１３との間に形成される第１空間は、貫通穴１２１Ｈを有している為、真空状態にならない。従って、移動体１１３は、本体容器部１１１内を容易に移動することができる。 
【００４２】
図３と図４に示す初期状態では、本体容器部１１１は、空気通し穴として、例えば、第１空気通し穴１３１から第４空気通し穴１３４を有している。第１空気通し穴１３１から第４空気通し穴１３４が、本体容器部１１１において、本体容器部１１１の軸方向Ｃに平行に同じ間隔Ｐをおいて形成されている。なお、空気通し穴１３１〜１３４の各間隔Ｐは、第１マグネットと第２マグネットとの間に作用する磁力により決定される。そのため、空気通し穴が複数存在する場合、空気通し穴の間隔Ｐは、蓋部材１２１から蓋部材１２２の方に向かって間隔Ｐが大きくなる方が好ましい。すなわち、第１マグネットと第２マグネットとの間に作用する磁力は、第１マグネットと第２マグネットとの間の距離が離れる程、その力が弱まる方に作用する。そのため、各空気通し穴を開放した際の拡張部材の減圧度合を一定にするためには、蓋部材１２１から蓋部材１２２の方に向かって間隔Ｐが大きくなる方が好ましい。この第１空気通し穴１３１から第４空気通し穴１３４は、例えば円形であり、本体容器部１１１に形成されている貫通穴である。この例では、第１空気通し穴１３１から第４空気通し穴１３４が、本体容器部１１１のほぼ中間位置において直列に並べて形成されている。
【００４３】
ガスケット等の移動体１１３が、本体容器部１１１の内部において、Ｔ方向とＳ方向に沿って移動可能に収容されている。この移動体１１３は、ゴムやプラスチックで作られた円柱状の部材である。移動体１１３の外周面と本体容器部１１１の内周面との間には、空気が漏れないような気密性が保たれている。図３と図４に示す初期状態では、移動体１１３の一端部１４１は、蓋部材１２１の内面の近傍に位置している、又は、蓋部材１２１の内面に当たっている。例えば、図３と図４に示す初期状態では、移動体１１３の一端部１４１に第２マグネットが配置されている。そして、移動部１１３の一端部１４１は蓋部材１２１の内面の近傍に位置している。なお、移動体１１３の他端部１４２は、第１空気通し穴１３１よりも蓋部材１２１側に位置されている。このため、移動体１１３は、第１空気通し穴１３１から第４空気通し穴１３４は塞いではいない。なお、初期状態とは、止血すべき部位を圧迫するために拡張部材（バルーン５及び補助バルーン６）を拡張させた状態で、一度も減圧操作を行っていない状態を指している。ここで、減圧操作を一度も行っていない状態とは、スライド部材１１２を移動させて、本体容器部１１１の各空気通し穴を開放していない状態をいう。一方、止血器具の拡張部材を拡張させる前においては、移動体１１３の他端部１４２は、第１マグネットと第２マグネットの間に働く斥力により、蓋部材１２２の内面と接触している。
【００４４】
一方、図３と図４に示すスライド部材１１２は、円筒状の部材であり、スライド部材１１２の内周面１１２Ａは、本体容器部１１１の外周面１１１Ａに対して、空気が漏れないように気密状態で接触している。スライド部材１１２の軸方向Ｃは、第１空気通し穴１３１から第４空気通し穴１３４の全て覆うことができる長さを有している。そして、術者が、スライド部材１１２を本体容器部１１１に沿ってＴ方向にスライドしていくことで、スライド部材１１２が塞いでいる第１空気通し穴１３１から第４空気通し穴１３４を、１つずつ順番に開放していくようになっている。
【００４５】
スライド部材１１２は、本体容器部１１１と同様に、好ましくは透明あるいは透光性を有するプラスチックあるいはガラスにより作られている。スライド部材１１２が、好ましくは透明あるいは透光性を有することにより、術者は、スライド部材１１２を通じて、本体容器部１１１の第１空気通し穴１３１から第４空気通し穴１３４の位置を容易に目視で確認できる。しかも、スライド部材１１２と本体容器部１１１を通じて移動体１１３の位置を容易に目視で確認できる。
【００４６】
術者が、スライド部材１１２を指で掴むことで、スライド部材１１２は、本体容器部１１１の外周面１１１Ａに沿って、軸方向Ｃに平行なＴ方向とＳ方向にスライド可能である。Ｔ方向は、他方の蓋部材１２２に向かう方向であり、Ｓ方向は、一方の蓋部材１２１に向かう方向である。
このスライド部材１１２の軸方向Ｃに沿った長さＬは、好ましくは少なくとも第１空気通し穴１３１から第４空気通し穴１３４を同時に覆い隠すことができる長さになっている。
【００４７】
本体容器部１１１の蓋部材１２１と蓋部材１２２は、このスライド部材１１２をスライドさせる際の抜け止め阻止部材の役割を果たしている。すなわち、蓋部材１２１と蓋部材１２２の外径寸法は、本体容器部１１１の外周面１１１Ａの外形寸法に比べて大きく設定されていることで、蓋部材１２１は抜け止め阻止部１２１Ｇを有し、蓋部材１２２は抜け止め阻止部１２２Ｇを有している。
これにより、術者がスライド部材１１２をＳ方向にスライドした場合に、スライド部材１１２は蓋部材１２１の抜け止め阻止部１２１Ｇに突き当たるので、術者がスライド部材１１２を本体容器部１１１から外してしまうことが無い。また、術者がスライド部材１１２をＴ方向にスライドした場合に、スライド部材１１２は反対側の蓋部材１２２の抜け止め阻止部１２２Ｇに突き当たるので、術者がスライド部材１１２を本体容器部１１１から誤って外してしまうことが無い。
【００４８】
また、図３と図４に示すように、圧力調整部１１０は、第１マグネット１６１と第２マグネット１６２を有している。第２マグネット１６２は、移動体１１３の一端部１４１に固定されている。なお、第２マグネットは、移動体１１３の他端部１４２に固定されていてもよい。第１マグネット１６１、蓋部材１２１の内面に固定されている。第１マグネット１６１と第２マグネット１６２は、永久磁石であり、例えば第１マグネット１６１と第２マグネット１６２とがＳ極側同士で向き合っている。あるいは、第１マグネット１６１と第２マグネット１６２は、Ｎ極側同士で向き合っている。これにより、第１マグネット１６１と第２マグネット１６２との間には、斥力が作用している。
これにより、本体容器部１１１内において、移動体１１３と蓋部材１２１の間には第１空間が形成され、移動体１１３と蓋部材１２２の間には第２空間が形成される。具体的には、拡張部材を減圧することにより、移動体１１３は、本体容器部１１１内を蓋部材１２２の方に向かって移動し、本体容器部１１１内に第１空間と第２空間とを形成する。ここで、第１空間は、第１マグネットと第２マグネットの間に働く斥力により、移動体１１３の一端部１４１と蓋部材１２１とが形成される空間である。また、第２空間は、移動体１１３の他端部１４２と蓋部材１２２との間に形成される空間であり、拡張体の内圧により形成される。そのため、空気通し穴を介して拡張部材内の流体を排出した際、移動体１１３は、第１マグネットと第２マグネットとの間に働く斥力より蓋部材１２２の方に移動し、開放された空気通し穴を塞ぐ。この際、移動体１１３が移動し、かつ、開放された空気通し穴を塞ぐことにより、圧力調整部１１０は、拡張部材内の圧力を減少させつつ、拡張部材内の圧力を維持することができる。
【００４９】
次に、上述した止血器具１の使用例を説明する。
図１に示す止血器具１の帯体２を、図２に示すように患者の例えば手首Ｈに装着するのであるが、装着前では、バルーン５と補助バルーン６には空気は注入されていないので、バルーン５と補助バルーン６は拡張されていない。
図１に示す帯体２を図２に示すように手首Ｈに装着する場合には、通常動脈への穿刺部材１００は、手首Ｈの内側（腱がある側）の親指側へ片寄った位置にある。穿刺部位１００にはイントロデューサーシースが留置されている。このイントロデューサーシースが留置されたままの状態の手首Ｈに帯体２を巻き付けて、バルーン５に設けられているマーカー７が穿刺部位１００上に重なるようにバルーン５を位置合わせする。そして、帯体２の両端部付近を面ファスナー３により固定する。
【００５０】
図１に示す止血器具１を手首Ｈに装着した後、術者は、図３に示す注入部５０のコネクタ６０に対して、シリンジ２００の突出部２０２を挿入してはめ込む。シリンジ２００の突出部２０２をコネクタ６０の内周面部分内に押し込むと、シリンジ２００の突出部２０２はコネクタ６０内の弁体を押して弁体を開ける。
そして、術者が、シリンジ２００の押子２０３を押すことにより、本体容器部２０１内の空気（流体）を、コネクタ６０内の流体（空気）の通路と、袋体５２とチューブ５１を介して、バルーン５と補助バルーン６内に注入する。これにより、バルーン５と補助バルーン６は所定の空気圧で拡張する。この空気の注入の際には、空気の注入量により、患者の症例に応じて、バルーン５と補助バルーン６は拡張度合、すなわち穿刺部位１００への圧迫力を調整することができる。
【００５１】
このようにして、バルーン５と補助バルーン６を拡張させると、シリンジ２００の突出部２０２をコネクタ６０から外す。これにより、図３に示すコネクタ６０内の弁体は内周面部分内を閉じることで、空気は漏れない。すなわち、シリンジ２００の突出部２０２を外す際には、図３に示す弁体は閉じるので、バルーン５と補助バルーン６内の空気が、コネクタ６０から外に漏れることは無い。そして、穿刺部位１００からイントロデューサーシースを抜去する。
【００５２】
図２に示すように、バルーン５と補助バルーン６は拡張状態を維持し、穿刺部位１００への圧迫状態を維持できる。この拡張状態では、バルーン５は穿刺部位１００とその周辺を局所的に押圧するとともに、バルーン５と補助バルーン６の拡張により、補強板４は、手首Ｈの表面から離間して、手首Ｈに接触し難くなる。このため、穿刺部位１００とその周辺が集中して圧迫力を受けるので、止血効果が高いとともに、止血を必要としない他の血管や神経等を圧迫するのを回避できる。このため、手のしびれや血行不良等が生じるのを防止する。
【００５３】
ところで、図１に示す上述した空気注入型の圧迫用の止血器具１の帯体２を使用すると、時間が経過すると血管の穴が血栓等により塞がれるので、血管の血流を阻害したり、しびれや痛みを生じる場合がある。このような不都合を避けるために、術者は、止血器具１による圧迫力を複数段階で、任意の経過時間において低減させる操作、すなわちバルーン５と補助バルーン６の空気圧の減圧をする操作を手動で行いながら、数時間かけて止血する操作を行う。これにより、術者は、図１と図３と図４に示す圧力調整部１１０を用いて、止血器具１による圧迫力を複数段階で、任意の経過時間において低減することにより、数時間かけて止血することができる。
【００５４】
図５（Ａ）から図５（Ｃ）と図６（Ａ）から図６（Ｄ）は、術者が圧力調整部１１０を手動操作して止血器具１による圧迫力を複数段階で、任意の経過時間ごとに圧迫力の調整を行っている様子を示している。
まず、図５（Ａ）は圧力調整部１１０の操作時の初期状態を示している。すなわち、図５（Ａ）では、図２に示すようにバルーン５と補助バルーン６は拡張状態になっており、穿刺部位１００への圧迫を行って穿刺部位１００の止血を開始した時の圧力調整部１１０の状態を示している。なお、圧力調整部１１０の操作時の初期状態では、バルーン５及び補助バルーン６は拡張状態になっており、スライド部材１１２は本体容器部１１１の第１空気通し穴１３１から第４空気通し穴１３４までの空気通し穴を塞いでいる。また、移動体１１３は、移動体１１３の他端部１４２が第１空気通し穴１３１よりも蓋部材１２１側に位置している。
【００５５】
図５（Ａ）に示すこの止血開始時には、本体容器部１１１内では、移動体１１３は蓋部材１２１の内面の近傍に位置している。また、第１空気通し穴１３１から第４空気通し穴１３４は、スライド部材により塞がっている。このため、バルーン５と補助バルーン６内の空気は、図１に示すチューブ５１と袋体５２とチューブ９９を通じて圧力調整部１１０の本体容器部１１１内に通じているが、バルーン５と補助バルーン６内の空気は、第１空気通し穴１３１から第４空気通し穴１３４のいずれからも漏れることが無い。この際、バルーン５と補助バルーン６内の空気により、移動体１１３は、第１マグネット１６１と第２マグネット１６２との間に働く斥力に反して、蓋部材１２１側の方に移動している。従って、図５（Ａ）の初期状態の際、移動体１１３の他端部１４２と蓋部材１２２との間に形成される第２空間は、体積が最大になっている。
【００５６】
次に、図５（Ｂ）は、術者が、圧力調整部１１０を用いてバルーン５と補助バルーン６による圧迫力（圧力）を低減しようとする状態を示している。この場合には、術者は、止血開始から一定時間（例えば１時間）が経過した際に、術者は、スライド部材１１２をＴ方向にわずかにスライドさせて、第１空気通し穴１３１はスライド部材１１２から開放される。この際に、移動体１１３は、第１マグネット１６１と第２マグネット１６２の間に働く斥力により、蓋部材１２２側に移動して、第１空気通し穴１３１を塞ぐ。この際、移動体１１３の一端部１４１と蓋部材１２１との間に形成される第１空間の斥力（内圧）と、移動体１１３の他端部１４２と蓋部材１２２との間に形成される第２空間の内圧とが一致する。そして、バルーン５と補助バルーン６内の空気が減少した分、バルーン５と補助バルーン６による圧迫力を低減する。
【００５７】
また、図５（Ｂ）に示すように、第１空気通し穴１３１がスライド部材１１２から開放されるので、バルーン５と補助バルーン６内の空気がこの第１空気通し穴１３１を通じて本体容器部１１１の外部に漏れる。このため、バルーン５と補助バルーン６の圧力（圧迫力）を低減することができる。
【００５８】
しかも、バルーン５と補助バルーン６の圧力が下がることから、図５（Ｂ）から図５（Ｃ）に示すように、移動体１１３はＴ方向に移動して移動体１１３は、第１空気通し穴１３１を閉じる。また、スライド部材１１２は、第２空気通し穴１３２、第３空気通し穴１３３と第４空気通し穴１３４を閉じる。このため、バルーン５と補助バルーン６内の空気は、本体容器部１１１内から外部に漏れることが無い。そして、術者が、移動体１１３が第１空気通し穴１３１を塞ぐため、第１マグネット１６１と第２マグネット１６２との間に働く斥力と、拡張部材の内圧（圧力）が同等になり、移動体１１３はこの位置に位置決めされる。なお、移動体１１３の一端部１４１と蓋部材１２１の内面との間に形成される第１空間は、密閉されていなくてもよい。そのため、移動体１１３は、１つの空気通し穴を閉じることができる大きさであればよい。
【００５９】
次に、図６（Ａ）は、術者が、圧力調整部１１０を用いてバルーン５と補助バルーン６による圧迫力（圧力）を、さらに低減しようとする状態を示している。この場合には、術者は、さらに一定時間（例えば１時間）が経過すると、図５（Ｂ）と図５（Ｃ）に示す圧力低減状態から、図６（Ａ）に示すように、術者は、スライド部材１１２をさらにＴ方向にわずかにスライドさせる。
【００６０】
これにより、図６（Ａ）に示すように、第２空気通し穴１３２がスライド部材１１２から開放されるので、バルーン５と補助バルーン６内の空気がこの第２空気通し穴１３２を通じて本体容器部１１１の外部に漏れる。このことから、バルーン５と補助バルーン６の圧力（圧迫力）をさらに低減することができる。しかも、バルーン５と補助バルーン６の圧力がさらに下がることから、図６（Ａ）から図６（Ｂ）に示すように、移動体１１３はＴ方向に少し移動して移動体１１３は、第１空気通し穴１３１から第２空気通し穴１３２を閉じる。なお、移動体１１３の大きさによっては、第２空気通し穴１３２のみを塞ぐように構成されていてもよい。また、スライド部材１１２は、第３空気通し穴１３３、第４空気通し穴１３４を閉じる。このため、バルーン５と補助バルーン６内の空気は、本体容器部１１１内から外部に漏れることが無い。術者が、移動体１１３が第２空気通し穴１３２を塞ぐため、第１マグネット１６１と第２マグネット１６２との間に働く斥力と、拡張体の内圧（圧力）が同等になり、移動体１１３はこの位置に位置決めされる。
【００６１】
さらに、図６（Ｃ）は、止血終了時には、術者が、圧力調整部１１０を用いてバルーン５と補助バルーン６による圧迫力（圧力）を、さらに低減しようとする状態を示している。この場合には、術者は、さらに一定時間（例えば１時間）が経過すると、図６（Ａ）と図６（Ｂ）に示す圧力低減状態から、スライド部材１１２をＴ方向にわずかにスライドさせる。
【００６２】
これにより、図６（Ｃ）に示すように、第３空気通し穴１３３がスライド部材１１２から開放されるので、この第３空気通し穴１３３を通じてバルーン５と補助バルーン６内の空気が本体容器部１１１の外部に漏れることから、バルーン５と補助バルーン６の圧力（圧迫力）をさらに低減することができる。しかも、バルーン５と補助バルーン６の圧力がさらに下がることから、図６（Ｃ）から図６（Ｄ）に示すように、移動体１１３はＴ方向に少し移動して移動体１１３は、第１空気通し穴１３１から第３空気通し穴１３３を閉じる。このため、バルーン５と補助バルーン６内の空気は、本体容器部１１１内から外部に漏れることが無い。
【００６３】
このようにして、本体容器部１１１に沿ってＴ方向にスライド部材１１２を少しずつ複数段階に別けてスライドすることにより、第１空気通し穴１３１と、第２空気通し穴１３２と、第３空気通し孔１３３を１つずつ開放していき、本体容器部１１１から空気を出した後は、移動体１１３が第１空気通し穴１３と、第２空気通し穴１３２と、第３空気通し孔１３３を１つずつ塞いでいく。なお、同様に、第４空気通し穴１３４を開放することにより、術者は、バルーン５と補助バルーン６の圧力をさらに下げることができる。また、本体容器部１１１の第４空気通し穴１３４を開放した際、バルーン５と補助バルーン６内の空気による内圧が最も小さくなるため、移動体１１３の他端部１４２と蓋部材１２２との間に形成される第２空間は、体積が最小になっている。一方で、移動体１１３の一端部１４１と蓋部材１２１との間に形成される第１空間は、体積が最大になっている。
このため、止血開始時から止血終了時までの間に、術者は、圧力調整部１１０を用いてバルーン５と補助バルーン６による圧迫力（圧力）を、任意の時間が経過するごとに、複数段階に別けて減少させることができる。従って、術者が、患者の状態に応じて、任意に圧迫力の調整を簡単に行うことができ、術者の止血作業に必要な手間を減少させることができる。
【００６４】
ところで、図３と図４に示すように、圧力調整部１１０は、第１マグネット１６１と第２マグネット１６２は、移動体１１３が蓋部材１２２側に近づくことにより斥力を発生するようになっている。これにより、圧力調整部１１０の本体容器部１１１内から空気通し穴から流体である一定量の空気を放出した時に、第１マグネット１６１と第２マグネット１６２との間に働く斥力により、移動体１１３が移動して、開放した空気通し穴を塞ぐことができる。
【００６５】
上述した本発明の第１実施形態では、図５（Ａ）に示す初期状態において、移動体１１３の一端部１４１は、蓋部材１２１の内面の近傍に位置しているが、蓋部材１２１の内面に接触していてもよい。
また、本体容器部１１１には、第１空気通し穴１３１から第４空気通し穴１３４の合計４つの穴が、バルーン５と補助バルーン６内の流体である空気の一部を、本体容器部１１１内から外部に抜くようにしている。しかしこれに限らず、本体容器部１１１には、２つか３つの空気通し穴あるいは５つ以上の空気通し穴を設けるようにしても良い。これにより、止血開始時から止血終了時の間で、任意の数の段階ごとに、本体容器部１１１から空気を逃がして圧迫力の低減を行うことができる。
【００６６】
なお、上述した本発明の第１実施形態では、連通ポートの設けられた側に移動体を向かわせる力を与える力付与手段として第１マグネットと第２マグネットを使用したが、これに限定されるものではない。例えば、本発明では、力付与手段としてスプリング部材を使用してもよい。
【００６７】
力付与手段としてスプリング部材を使用する場合、例えば、第１マグネット１６１及び第２マグネット１６２を有しない図４の圧力調整部において、スプリング部材は蓋部材１２１と移動体の一端部１４１の間に配置される。なお、スプリング部材は、連通ポートの設けられた側に移動体１１３を向かわせる力を与えられればよく、蓋部材１２１又は移動体１１３に接続されていても、接続されていなくてもよい。
なお、スプリング部材は、弾性力を有する部材で、かつ、力が加えられた際に力が加えられる前（自然状態）の形状に戻ろうとする性質を有する部材である。そのため、スプリング部材は、スプリング部材に加えられた力の大きさをスプリング部材の伸び縮みの大きさで表わすことができる。例えば、スプリング部材は、コイルバネや板バネである。
【００６８】
また、力付与手段としてスプリング部材を使用する場合、拡張部材を加圧した際、拡張部材から本体容器部の連通ポートを通して流入する流体による圧力により、移動体は、本体容器内の連通ポートの設けられた側の反対側に移動する。そして、スプリング部材は、加圧する前（自然状態）の第１形状から加圧により変形した第２形状に変形する。そのため、本体容器部の流体通し穴を開放して拡張部材を減圧すると、スプリング部材には第２形状から第１形状に戻ろうとする復元力が働き、移動体は、本体容器内の連通ポートの設けられた側に移動する。
【００６９】
本発明の止血器具は、肢体の止血すべき部位に巻き付けて固定される帯体と、前記帯体に連結されており、流体を注入することで拡張して前記部位の止血のための圧迫力を前記部位に与える拡張部材と、前記拡張部材に前記流体を注入するための注入路の端部に設けられたコネクタと、前記拡張部材の圧力を調整する圧力調整部と、を備え、前記圧力調整部は、前記拡張部材を連通するように接続され、前記流体の一部を抜くための流体通し穴を有する本体容器部と、前記本体容器部の外表面に気密に接触するように装着され、前記本体容器部の前記流体通し穴を塞いだ状態から前記本体容器部に沿って移動させて前記流体通し穴を開放するスライド部材と、前記流体通し穴を塞ぐ位置と塞がない位置で前記本体容器内を移動可能な移動体と、前記流体通し穴を前記塞がない位置から前記塞ぐ位置に向かって前記移動体を移動させる力を与える力付与手段と、を有している。
【００７０】
これにより、本発明の力付与手段は、本体容器部内の移動体に対して、本体容器部の流体通し穴を塞がない位置から塞ぐ位置に向かって移動体を移動させる力を作用させている。そのため、術者が本体容器部の流体通し穴を開放して拡張部材内の内圧を減少させると、移動体は、力付与手段により力を受け、本体容器部の流体通し穴を塞がない位置から塞ぐ位置に向かって移動する。この際、本体容器部内の移動体は、開放した流体通し穴を塞ぐまで本体容器部の他端部側に移動する。従って、術者は、本体容器部の外表面に対して気密に接触するように装着されたスライド部材をスライドするだけで、本体容器部の流体通し穴を開放して拡張部材の流体の一部を抜くことでき、拡張部材による止血すべき部位への圧迫力を調整することができる。このため、術者は、患者の状態に応じて、任意に止血すべき部位への圧迫力の調整を簡単に行うことができ、術者の圧迫力の調整の手間を軽減することができる。
なお、この明細書で「流体」とは気体だけでなく液体も含むものである。
なお、「力付与手段」は、本体容器部の流体通し穴を塞がない位置から塞ぐ位置に向かって移動体を移動させる力を与えるものであればよく、例えば、移動体と本体容器部とを接続して弾性力等により移動体に対して力を付与する手段であっても、移動体と本体容器部とを非接続の状態で磁力等により移動体に対して力を付与する手段であってもよい。
【００７１】
力付与手段は、第１マグネット及び第２マグネットであり、前記第１マグネットは、前記本体容器部に配置されており、前記第２マグネットは、前記移動体に配置されている、ことを特徴とする。これにより、力付与手段は、第１マグネットと第２マグネットの間に作用する磁力により、移動体に対して、連通ポートの設けられた側に移動体を向かわせる力を作用させることができる。
【００７２】
前記第１マグネットと前記第２マグネットとの間には斥力が作用する、ことを特徴とする。具体的には、前記本体容器部は、一端部と他端部とを有しており、前記他端部は、前記拡張部材との前記連通ポートが設けられており、前記一端部は、前記第１マグネットが設けられており、前記第１マグネットと前記第２マグネットの間には斥力が作用する構成とされたことを特徴とする。これにより、本体容器内の移動体と本体容器部の一端部とが形成する空間（第１空間）が移動体に作用させる力（力付与手段が移動体に作用させる力）を、第１マグネットと第２マグネットとの間に作用する斥力により設定することができる。これにより、術者が拡張部材を拡張する際、拡張部材への流体の注入に必要以上の負荷がかからないように構成することができる
【００７３】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
例えば、バルーン５と補助バルーン６に注入する流体としては、空気に限らず例えば窒素やその他の気体であっても良い。また、流体は、気体に限定されず、水や生理食塩水等の液体であってもよい。
図示した実施形態では、流体通し穴として、４つの空気通し穴または３つの空気通し穴を記載しているが、これに限らず、空気通し穴の数は、任意に設定することができる。圧力調整部は、注入部５０を介して接続されているが、圧力調整部は、バルーン５と補助バルーン６に対して、直接接続して、バルーン５と補助バルーン６内の空気（流体）を減らす構造を採用しても良い。
【符号の説明】
【００７４】
１・・・止血器具、２・・・帯体、３・・・面ファスナー、４・・・補強板、５・・・バルーン（拡張部材の例）、６・・・補助バルーン（拡張部材の例）、７・・・マーカー、５０・・・注入部、９９・・・チューブ、１００・・・肢体の穿刺部位、１１０・・・圧力調整部、１１１・・・本体容器部、１１２・・・スライド部材、１１３・・・移動体、１２１，１２２・・・蓋部材、１２１Ｇ、１２２Ｇ・・・抜け止め阻止部、１２１Ｈ、１２２Ｈ・・・貫通穴、１３１〜１３４・・・空気通し穴（流体通し穴）、１６１・・・第１マグネット、１６２・・・第２マグネット
【図１】
0006559128.tif 000002
【図２】
0006559128.tif 000003
【図３】
0006559128.tif 000004
【図４】
0006559128.tif 000005
【図５】
0006559128.tif 000006
【図６】
0006559128.tif 000007